(57)【要約】【課題】シート印刷手段の印刷媒体供給部（フィーダー）に厚さや材質の異なる多種類の印刷媒体を一度にセットして印刷開始の指示と同時に、その印刷を開始する種類の印刷媒体の印刷条件をシート印刷手段に送信し、その印刷条件に基づいてリアルタイムにてシート印刷手段の印刷圧、印刷速度、印刷のトナー、インキ等の定着、乾燥温度等の調整を行うことにより多種類の印刷媒体の印刷を連続的に行うことができるようにする。【解決手段】転写ドラム10とプレスロール20との間に厚さ及び材質の異なる多種類のシート状印刷媒体S を導入して、該印刷媒体面に所定の印刷を行う多種印刷媒体印刷システムであって、印刷枚数カウント手段3 と、導入厚さ検出手段4 と、印圧制御手段6 と、印刷速度制御手段7 と、加熱制御手段5 と、前記多種類の各シート状印刷媒体の印刷条件を設定する印刷条件設定手段2 とを備え、各印刷媒体面に連続的に印刷を行う。【選択図】図２
2007030449.tif 000002
【特許請求の範囲】
【請求項１】
インクリボンを使用した直接熱転写方式による印刷手段の印字ヘッドとプレスロールとの間、又はインクリボンと中間転写フィルムを使用した間接転写方式による印刷手段の転写ドラムとプレスロールとの間、又は静電印刷方式による印刷手段のトナー転写ドラムとプレスロールとの間、又は凸版若しくはグラビア印刷方式による印刷手段のインキ転写版ドラムとプレスロールとの間、又はオフセット印刷方式による印刷手段のインキ転写ブランケットドラムとプレスロールとの間に、厚さ及び材質の異なる多種類のシート状印刷媒体を導入して、該印刷媒体面に所定の印刷を行う多種印刷媒体印刷システムであって、
前記印刷手段には、印字ヘッド又はドラムとプレスロールとの間に前記印刷媒体を１枚ずつ送り込み導入する印刷媒体導入手段と、前記印字ヘッド又はドラムとプレスロールとの間の印刷圧を制御する印圧制御手段と、前記印字ヘッド又はドラムとプレスロールとの印刷回転速度を制御する印刷速度制御手段と、前記印刷媒体面に印刷されたトナーの定着又はインキの乾燥又は定着を行う加熱手段と、前記多種類の各シート状印刷媒体の印刷枚数及び厚み及び材質等の印刷媒体情報を入力して該印刷媒体に対応する印刷条件を設定する印刷条件設定手段とを備え、
該印刷条件設定手段からの印刷動作制御信号に基づいて、前記印圧制御手段、印刷速度制御手段、加熱手段を制御動作させて、各印刷媒体面に印刷を行うことを特徴とする多種印刷媒体印刷システム。
【請求項２】
請求項１記載の多種印刷媒体印刷システムにおいて、前記印刷媒体導入手段が、印刷媒体の導入枚数カウント手段と、印刷媒体の導入厚さを検出する導入厚さ検出手段とを備えることを特徴とする多種印刷媒体印刷システム。
【発明の詳細な説明】
【技術分野】
【０００１】
本発明は、紙片、葉書、カード、冊子、パスポート等の厚さ及び材質の異なる多種類のシート状印刷媒体面に、オフセット印刷方式、グラビア印刷方式、スクリーン印刷方式等の印圧印刷方式、あるいはシーザープリンタ等の静電印刷方式、インキジェット方式等の単１台のシート印刷手段によって連続的に印刷を行うための多種印刷媒体印刷システムに関する。
【背景技術】
【０００２】
一般的に、紙片、葉書、カード、冊子、パスポート等の厚さ及び材質の異なる多種類のシート状印刷媒体に対して、オフセット印刷方式、グラビア印刷方式、スクリーン印刷方式等の印圧印刷方式、あるいはシーザープリンタ等の静電印刷方式、インキジェット方式等の単１台のシート印刷手段によって連続的に印刷を行う場合には、印刷媒体の厚さ及び材質に対応して各印刷媒体の種類毎に、予め事前にシート印刷手段に対して、印圧、印刷速度、トナー定着温度、、インキ乾燥温度等の印刷条件を設定する必要がある。
【０００３】
図６は、従来の印刷方式におけるフローチャート図であり、まず、ステップ１にて、シート印刷手段に接続したパソコン、あるいはシート印刷手段のオペレーションパネルにて、多種類のシート状印刷媒体のうちの１種類のシート状印刷媒体の厚さ及び材質に対応する印刷条件（例えば、印刷枚数、印刷圧、印刷速度、印刷のトナー、インキ等の定着、乾燥温度等）を入力設定する。
【０００４】
次に、ステップ２にて印刷の開始を指示することにより、ステップ３にて、シート印刷手段が、その印刷動作プログラムソフトと、ステップ１にて入力設定した前記印刷条件に基づいて制御動作されて１種類のシート状印刷媒体に対して、印刷枚数をシート印刷手段のカウンターにてカウントしながら所定の枚数の印刷を行い、ステップ４にて、印刷枚数のカウント終了がカウンターにて確認されて  シート印刷手段は印刷を終了するものである。
【０００５】
このように、各種類の印刷媒体毎に、その厚さや材質に対応する印刷条件を設定し、印刷媒体の種類に対応して印刷を行い、印刷条件を変更したい場合には、その都度、印刷媒体（紙、カード、冊子、パスポート等）をシート印刷手段の印刷媒体供給部（フィーダー）にセットする前に、シート印刷手段のオペレーションパネル等にて、印刷条件を訂正入力して機械的な調整を行うことにより対応している。
【０００６】
そのために、印刷条件の異なる複数種類の印刷媒体を、一度にシート印刷手段の印刷媒体供給部（フィーダー）にセットして、連続的に印刷を行うことは困難であり、印刷条件は、その都度設定する必要があった。
【発明の開示】
【発明が解決しようとする課題】
【０００７】
本発明の課題は、シート印刷手段の印刷媒体供給部（フィーダー）に、厚さや材質の異なる多種類の印刷媒体を一度にセットして、シート印刷手段に対する印刷開始の指示と同時に、その印刷を開始する種類の印刷媒体の印刷条件をシート印刷手段に送信し、その印刷条件に基づいてリアルタイムにてシート印刷手段の印刷圧、印刷速度、印刷のトナー、インキ等の定着、乾燥温度等の調整を行うことにより、多種類の印刷媒体の印刷を連続的に行うことができるようにすることにある。
【課題を解決するための手段】
【０００８】
本発明の請求項１に係る発明は、インクリボンを使用した直接熱転写方式による印刷手段の印字ヘッドとプレスロールとの間、又はインクリボンと中間転写フィルムを使用した間接転写方式による印刷手段の転写ドラムとプレスロールとの間、又は静電印刷方式による印刷手段のトナー転写ドラムとプレスロールとの間、又は凸版若しくはグラビア印刷方式による印刷手段のインキ転写版ドラムとプレスロールとの間、又はオフセット印刷方式による印刷手段のインキ転写ブランケットドラムとプレスロールとの間に、厚さ及び材質の異なる多種類のシート状印刷媒体を導入して、該印刷媒体面に所定の印刷を行う多種印刷媒体印刷システムであって、
前記印刷手段には、印字ヘッド又はドラムとプレスロールとの間に前記印刷媒体を１枚ずつ送り込み導入する印刷媒体導入手段と、前記印字ヘッド又はドラムとプレスロールとの間の印刷圧を制御する印圧制御手段と、前記印字ヘッド又はドラムとプレスロールとの印刷回転速度を制御する印刷速度制御手段と、前記印刷媒体面に印刷されたトナーの定着又はインキの乾燥又は定着を行う加熱手段と、前記多種類の各シート状印刷媒体の印刷枚数及び厚み及び材質等の印刷媒体情報を入力して該印刷媒体に対応する印刷条件を設定する印刷条件設定手段とを備え、
該印刷条件設定手段からの印刷動作制御信号に基づいて、前記印圧制御手段、印刷速度制御手段、加熱手段を制御動作させて、各印刷媒体面に印刷を行うことを特徴とする多種印刷媒体印刷システムである。
【０００９】
本発明の請求項２に係る発明は、上記請求項１に係る多種印刷媒体印刷システムにおいて、前記印刷媒体導入手段が、印刷媒体の導入枚数カウント手段と、印刷媒体の導入厚さを検出する導入厚さ検出手段とを備えることを特徴とする多種印刷媒体印刷システムである。
【発明の効果】
【００１０】
本発明の多種印刷媒体印刷システムによれば、多種類の各シート状印刷媒体の印刷枚数及び厚さ及び材質等の印刷媒体情報を印刷条件設定手段に入力して、各々種類の印刷媒体に対応する印刷条件を設定した後に、該印刷条件設定手段から出力する各種類の印刷媒体毎の印刷条件に対応する印刷動作制御信号に基づいて、シート印刷手段の印圧制御手段、印刷速度制御手段、加熱手段を制御動作させて、多種類の印刷媒体面に印刷を行うことが可能となる。
【００１１】
このように、本発明システムによれば、各種類の印刷媒体毎に対応して、その印刷媒体の印刷条件を自動的に変更でき、その印刷条件に対応する印刷動作制御信号に基づいて、多種類の印刷媒体面に適正な印刷条件によって印刷を行うことができるものであり、シート印刷手段の印刷媒体供給部（フィーダー）に、厚さや材質の異なる多種類の印刷媒体を一度にセットして、シート印刷手段に対する印刷開始の指示と同時に、その印刷を開始する種類の印刷媒体の印刷条件をシート印刷手段に送信し、その印刷条件に基づいてリアルタイムにてシート印刷手段の印刷圧、印刷速度、印刷のトナー、インキ等の定着、乾燥温度等の調整を行い、多種類の印刷媒体の印刷を連続的に行うことができるものである。
【発明を実施するための最良の形態】
【００１２】
本発明の多種印刷媒体印刷システムの実施の形態を、図１に示す本発明システムのシステムブロック図、及び図２に示す本発明システムに使用するシート印刷手段の一例を示す部分側面図に基づいて以下に詳細に説明する。
【００１３】
本発明の多種印刷媒体印刷システムのハードウエアとしては、図１のシステムブロック図に示すように、シート印刷手段Ａと、該シート印刷手段Ａのオペレーションパネルあるいはパソコン１等のデータ入力手段を用いて印刷条件（印刷媒体の厚さ、材質等、及び必
要に応じて印刷仕様情報を含む）を入力設定する印刷条件設定手段２と、シート印刷手段Ａのフィーダー（シート状印刷媒体供給部）にセットされた印刷媒体の導入通過を検出して印刷枚数をカウントする印刷枚数カウント手段３（シート通過を検出する検出手段、又はシート印刷手段Ａの駆動回転周期をロータリーエンコーダ等により検出する駆動サイクル検出手段からの検出信号によりシフトしてカウントするカウンター）と、シート印刷手段Ａに導入された印刷媒体の厚さを検出する導入厚さ検出手段４（接触式又は光電式厚さ検出センサー）と、印刷後のトナー又はインキの定着、乾燥用の加熱を行う加熱制御手段５（ヒーター内蔵ローラー）と、印刷媒体の厚さや材質等に対応してシート印刷手段Ａの印刷圧を調整制御する印圧制御手段６と、シート印刷手段Ａの印刷速度を調整制御する印刷速度制御手段７（サーボモーター、パルスモーター駆動制御）とを備える。
【００１４】
そして、該シート印刷手段Ａに搭載する印刷動作プログラムソフトと、各種のシート状印刷媒体Ｓ（Ｓ1 〜Ｓn ）の枚数、厚さ及び材質等の印刷媒体情報に対応して入力設定した印刷条件に基づいて制御動作されて、各種類のシート状印刷媒体Ｓに対して、その規定の印刷枚数をシート印刷手段Ａの印刷枚数カウント手段３にてカウントしながら、連続的に印刷を行うものである。なお、シート印刷手段Ａに導入印刷する多種印刷媒体における各々種類の印刷媒体の規定枚数（リセットカウント数）が予め既知である場合には、印刷枚数カウント手段３に、そのリセットカウント数を入力設定して、印刷枚数カウント手段３によるカウント数が規定枚数に到達した時点で、自動的に次に印刷すべき種類の印刷媒体Ｓの印刷条件に設定変更されるようにしてもよい。
【００１５】
図２は、レーザープリンタ等の静電印刷方式（又は電子写真方式）によるシート印刷手段Ａの部分側面図であり、シート印刷媒体Ｓを導入してトナー転写する部分の側面図であって、１０は印刷画像をシート状印刷媒体面に転写する転写ドラム（画像転写ドラム）、２０はプレスロールであり、転写ドラム１０とプレスロール２０との周面間にシート印刷媒体Ｓが導入されて印刷される。
【００１６】
１１は表面帯電した転写ドラム１０の周面の静電気を除電する除電部、１２は転写ドラム１０の周面に均一に帯電させる帯電部、１３は帯電した転写ドラム１０の周面に対峙してレーザー光像をドラムの母線方向に沿って照射して画線部を形成するレーザー走査部、１４はレーザー照射により除電された転写ドラム１０周面の除電部（画線部）にトナーを静電吸着により転写させるトナー現像部及びトナー定着部である。
【００１７】
転写ドラム１０とプレスロール２０との周面間にシート印刷媒体Ｓが導入される前段には、印刷枚数カウント手段３と導入厚さ検出手段４が設けられ、また、シート印刷媒体Ｓが導入された後の後段には、定着、乾燥用の加熱手段５が設けられている。
【００１８】
転写ドラム１０は支軸１０ａを中心にして定位置にて所定速度にて回転し、プレスロール２０は、支持フレーム２１の前後に対向する垂直スライドガイド２１ａ、２１ａに沿って摺動移動可能な軸受部２２に軸支された支軸２０ａを中心に回転し、該プレスロール２０の周面はゴム製等の適度な硬度と弾力性のある周面を備えている。
【００１９】
該プレスロール２０を軸支する軸受部２２の下部はブラケット２３に取り付け支持されていて、該ブラケット２３下部の軸受部２３ａに垂直にスクリューボルト２４の先端部が自由回転可能に軸支されている。
【００２０】
該スクリューボルト２４は、前記支持フレーム２１の下部に螺着していて、該スクリューシャフト２４の下端部には伝動ギア２５が設けられ、該伝動ギア２５は、印圧制御手段６を構成する所定のパルス数に基づいて所定回転数だけ回転するパルスモータ等からなる回転制御モータ２７（必要に応じてロータリーエンコーダ付き）の主軸２７ａに取り付け
た駆動ギア２６によって駆動回転する。
【００２１】
図２に示す上記シート印刷手段Ａ（レーザープリンタ）は、シート状印刷媒体Ｓの厚さｔ及び材質に対応して、印圧制御手段６により回転制御モータ２７を所定パルス数だけ回転させ、また回転制御モータ２７に必要に応じて取り付けたロータリーエンコーダにより回転数を検出させて、スクリューシャフト２４を所定回転数だけ正転（又は逆転）回転させて、プレスロール２０を軸支する軸受部２２を所定移動量Δｘだけ実線部分と点線部分との間を上昇又は下降移動させることにより、転写ドラム１０とプレスロール２０との軸間距離ｄａを適正な離間距離ｄｐに調整することにより、転写ドラム１０とプレスロール２０との周面の離間間隔を調整して適正な印圧に調整制御することができる。なお、軸受部２２を所定移動量だけ実線部分と点線部分との間を上昇又は下降移動させる際に、前記支持フレーム２１の垂直スライドガイド２１ａに沿うように、該支持フレーム２１にリニアエンコーダを取り付けることにより、軸受部２２及びプレスロール２０の所定移動量の検出及び移動動作をさせるようにしてもよい。
【００２２】
図２に示すように、適正に印圧調整された転写ドラム１０とプレスロール２０との周面間には、シート状印刷媒体Ｓが導入されて、転写ドラム１０の周面に静電吸着された画線部のトナーが、シート状印刷媒体Ｓの表面に転写され、その後、定着、乾燥用加熱手段５（例えば定着、乾燥ロール）にて媒体Ｓ表面のトナー定着がされて印刷が終了する。
【００２３】
本発明の多種印刷媒体印刷システムを、図３に示すシステムフローチャート図に基づいて以下に説明する。
【００２４】
まず、ステップ１にて、シート印刷手段Ａに接続したパソコンのデータ入力部（キーボード等）、あるいはシート印刷手段Ａのオペレーションパネルのデータ入力部（キーボード等）にて、多種類のシート状印刷媒体Ｓ1 〜Ｓn （紙片、葉書、カード、冊子、パスポート、保険証等の厚さ及び材質等の異なるシート状印刷媒体）のそれぞれ厚さ及び材質等の印刷媒体情報と印刷枚数を各種類毎に順に印刷条件設定手段２にデータ入力する。
【００２５】
例えば、下記のようにして各種類のシート状印刷媒体Ｓ1 〜Ｓ5 の印刷媒体情報を入力する。
・シート状印刷媒体Ｓ1 ・・・種類；紙片
印刷枚数；５２０枚、サイズ；Ａ４、厚さ；０．１２５ｍｍ、材質；コート紙
・シート状印刷媒体Ｓ2 ・・・種類；葉書
印刷枚数；１２０枚、サイズ；Ａ６、厚さ；０．１５０ｍｍ、材質；コート紙
・シート状印刷媒体Ｓ3 ・・・種類；会員カード
印刷枚数；２５０枚、サイズ；８６ｍｍ×５５ｍｍ、厚さ；０．２５０ｍｍ、材質；
硬質塩化ビニール）
・シート状印刷媒体Ｓ4 ・・・種類；冊子
印刷枚数；３５０枚、サイズ；Ａ５、厚さ；１．５ｍｍ、材質；コート紙
・シート状印刷媒体Ｓ5 ・・・種類；パスポート
印刷枚数；  ８０枚、サイズ；Ａ６、厚さ；２．５ｍｍ、材質；コート紙
印刷条件設定手段２は、入力された各印刷媒体Ｓ1 〜Ｓn 毎の厚さ及び材質等の印刷媒体情報データを搭載するメモリに記憶するとともに、その印刷媒体情報に基づいて、予め設定されたプログラム（各印刷媒体情報に対応する印刷動作条件（例えば印刷圧、印刷速度、印刷トナー又はインキ等の定着、乾燥温度等）との関係を対応付けたデータテーブル）から、印刷条件（例えば印刷枚数、印刷圧、印刷速度、印刷のトナー、インキ等の定着、乾燥温度等）を各種類の印刷媒体Ｓ1 〜Ｓn 毎に順に設定する。
【００２６】
例えば、下記のようにシート状印刷媒体Ｓ1 〜Ｓ5 の印刷条件が設定される。
・シート状印刷媒体Ｓ1 （紙片）
印刷枚数；５２０枚
印刷圧（転写ドラム１０とプレスロール２０との周面間隔）；０．１ｍｍ
印刷速度（転写ドラム１０とプレスロール２０の回転速度）；９０枚／分
定着、乾燥温度（定着、乾燥ロール温度）；２００℃
・シート状印刷媒体Ｓ2 （葉書）
印刷枚数；１２０枚
印刷圧（転写ドラム１０とプレスロール２０との周面間隔）；０．１ｍｍ
印刷速度（転写ドラム１０とプレスロール２０の回転速度）；９０枚／分
定着、乾燥温度（定着、乾燥ロール温度）；２００℃
・シート状印刷媒体Ｓ3 （カード）                                                
印刷枚数；２５０枚
印刷圧（転写ドラム１０とプレスロール２０との周面間隔）；０．２ｍｍ
印刷速度（転写ドラム１０とプレスロール２０の回転速度）；４５枚／分
定着、乾燥温度（定着、乾燥ロール温度）；２００℃
・シート状印刷媒体Ｓ4 （冊子）
印刷枚数；３５０枚
印刷圧（転写ドラム１０とプレスロール２０との周面間隔）；１．３ｍｍ
印刷速度（転写ドラム１０とプレスロール２０の回転速度）；６０枚／分
定着、乾燥温度（定着、乾燥ロール温度）；２００℃
・シート状印刷媒体Ｓ5 （パスポート）
印刷枚数；８０枚
印刷圧（転写ドラム１０とプレスロール２０との周面間隔）；２．２ｍｍ
印刷速度（転写ドラム１０とプレスロール２０の回転速度）；６０枚／分
定着、乾燥温度（定着、乾燥ロール温度）；２００℃
次に、ステップ２にて、シート印刷手段Ａに接続したパソコン、あるいはシート印刷手段Ａのオペレーションパネルの入力部にて印刷の開始を指示する。
【００２７】
印刷の開始を指示すると、次にステップ３にて、シート印刷手段Ａが、その印刷動作プログラムソフトと、ステップ１にて入力設定した各々シート状印刷媒体Ｓ1 〜Ｓn の前記印刷条件に基づいて制御動作されて、シート印刷手段Ａは、前記印圧制御手段６、印刷速度制御手段７、加熱制御手段５により、各種類のシート状印刷媒体Ｓ1 〜Ｓn 毎の印刷条件に対応した印刷圧、印刷速度、加熱温度等に順次調整される。
【００２８】
次に、ステップ４にて、シート印刷手段Ａは、前記各種類のシート状印刷媒体Ｓ1 〜Ｓn のそれぞれ印刷条件に対応して調整された印刷圧、印刷速度、加熱温度等により、順次、シート印刷手段Ａに１枚ずつ導入される各種類のシート状印刷媒体Ｓ1 〜Ｓn （例えば、上記のＳ1 〜Ｓ5 ）に対して、その規定の印刷枚数をシート印刷手段Ａの印刷枚数カウント手段３にて１枚ずつカウントし、導入されるシート状印刷媒体が規定の厚さ（入力した厚さ）に対して所定の範囲内であることを厚さ検出手段４にて検出しながら順次印刷を行う。なお、シート状印刷媒体が規定の厚さの範囲外の場合にはシート印刷手段Ａは印刷を停止する。
【００２９】
次に、ステップ５にて、各種類のシート状印刷媒体Ｓ1 〜Ｓn のうちの１種類のシート状印刷媒体、例えばシート状印刷媒体Ｓ1 、又はＳ2 、又はＳ3 、・・・又はＳk の印刷における印刷枚数カウント手段３による規定の印刷枚数のカウントが終了した場合には、当該種類のシート状印刷媒体の印刷が終了したとしてステップ６に進み、一方、規定の印刷枚数のカウントが行われていない場合には、当該種類のシート状印刷媒体の印刷が終了していないとしてステップ４に戻り、印刷を継続する。
【００３０】
次に、ステップ６にて、各種類のシート状印刷媒体Ｓ1 〜Ｓn のうち、全種類のシート状印刷媒体の印刷における印刷枚数カウント手段３による規定の印刷枚数のカウントが終了していない場合には、ステップ３に戻る。
【００３１】
そして、該ステップ３では、シート印刷手段Ａが、その印刷動作プログラムソフトと、ステップ１にて入力設定した各々シート状印刷媒体Ｓ1 〜Ｓn の前記印刷条件に基づいて制御動作されて、各種類のシート状印刷媒体Ｓ1 〜Ｓn のうちの次の種類のシート状印刷媒体、例えばシート状印刷媒体Ｓ2 、又はＳ3 、又はＳ4 、・・・又はＳk+1 の印刷における印刷条件に対応した印刷圧、印刷速度、加熱温度等に順次調整され、続いて、ステップ４にて、シート印刷手段Ａは、シート状印刷媒体のそれぞれ印刷条件に対応して調整された印刷圧、印刷速度、加熱温度等により、順次、各種類のシート状印刷媒体に対して、その規定の印刷枚数をシート印刷手段Ａの印刷枚数カウント手段３にてカウントし、厚さ検出手段４にてシート状印刷媒体の厚さを検出しながら印刷を行い、順次、ステップ５、６に進む。
【００３２】
前記ステップ６にて、各種類のシート状印刷媒体Ｓ1 〜Ｓn のうち、全種類のシート状印刷媒体の印刷における印刷枚数カウント手段３による規定の印刷枚数のカウントの終了を確認した場合には、全種類のシート状印刷媒体の印刷が終了したとして、シート印刷手段Ａは印刷を終了する。
【００３３】
本発明の多種印刷媒体印刷システムに使用される上記シート印刷手段Ａとしては、図２に示す静電印刷方式（又は電子写真方式）に限定されるものではなく、上記シート印刷手段Ａ以外に適宜に選択することが可能であるが、例えば、図２において点線に示す印刷インキ着けローラー１５を周面に備えた凸版印刷版胴としての転写ドラム１０と圧胴としての印圧調整制御可能なプレスローラ２０との組み合わせによる凸版印刷方式がある。
【００３４】
また、本発明の多種印刷媒体印刷システムに使用されるシート印刷手段Ａとして、図４の模式図に示すようなグラビア印刷方式（グラビア塗布方式）がある。
【００３５】
これは、インキ貯留槽１６内のインキ液Ｉに浸漬し、周面にインキ掻き取りドクター１６を周接させて回転するグラビア版胴（又は塗布ローラー）としての転写ドラム１０と、圧胴としての印圧調整制御可能なプレスローラ２０との組み合わせによるグラビア印刷方式（グラビア塗布方式）であり、図２に示す静電印刷方式と同様に、この場合においてもプレスローラ２０は、支持フレーム２１の前後に対向する垂直スライドガイド２１ａ、２１ａに沿って摺動移動可能な軸受部２２に軸支された支軸２０ａを中心に回転し、該プレスロール２０の周面はゴム製等の適度な硬度と弾力性のある周面を備えている。また、印刷枚数カウント手段３、厚さ検出手段４、加熱制御手段５、印圧制御手段６、印刷速度制御手段７、及びプレスロール支持フレーム２１等を、図２に示す静電印刷方式と同様に備えることができる。
【００３６】
また、本発明の多種印刷媒体印刷システムに使用される上記シート印刷手段Ａとしては図５の模式図に示すようなオフセット印刷方式があり、湿し水ｗを貯留する湿し水貯留槽１８から湿し水ｗを供給する湿し水着けローラ１９と印刷インキ着けロール１５とを周面に備えたオフセット印刷版胴３０に周接して回転するブランケット胴としての転写ドラム１０（周面にゴム弾性シート状のブランケット１０ｂを巻回）と、圧胴としての印圧調整制御可能なプレスローラ２０との組み合わせによるオフセット印刷方式であり、静電印刷方式と同様に、この場合においても、印刷枚数カウント手段３、厚さ検出手段４、加熱制御手段５、印圧制御手段６、印刷速度制御手段７、及びプレスロール支持フレーム２１等を備えることができる。
【００３７】
また、本発明の多種印刷媒体印刷システムに使用される上記シート印刷手段Ａとしては図示しないが、例えば、インクリボン（感熱転写シート）を使用した直接熱転写方式によるサーマルプリンタやレーザープリンタがあり、そのサーマル印字ヘッド又はレーザー印字ヘッドとプレスロールとの間に、上記印刷媒体を導入するようにしたものである。
【００３８】
また、上記シート印刷手段Ａとしては、図示しないが、インクリボンと中間転写フィルムを使用した間接転写方式によるサーマルプリンタやレーザープリンタがあり、そのサーマル印字ヘッド又はレーザー印字ヘッドによりインクリボンからインクを印字転写した中間転写フィルムを巻回する転写ドラムとプレスロールとの間に、上記印刷媒体を導入するようにしたものである。
【図面の簡単な説明】
【００３９】
【図１】本発明の多種印刷媒体印刷システムを説明するシステムブロック図。
【図２】本発明の多種印刷媒体印刷システムにおいて使用されるシート印刷手段の一例を説明する模式図。
【図３】本発明の多種印刷媒体印刷システムを説明するシステムフローチャート図。
【図４】本発明の多種印刷媒体印刷システムにおいて使用されるシート印刷手段の他の例を説明する模式図。
【図５】本発明の多種印刷媒体印刷システムにおいて使用されるシート印刷手段のその他の例を説明する模式図。
【図６】従来の多種印刷媒体印刷システムを説明するシステムフローチャート図。
【符号の説明】
【００４０】
Ａ…印刷手段
１…パソコン
２…印刷条件設定手段
３…印刷枚数カウント手段
４…厚さ検出手段
５…加熱制御手段
６…印圧制御手段
７…印刷速度制御手段
１０…転写ドラム
１０ｂ…ブランケット
１５…印刷インキ着けロール
１７…ドクター
２０…プレスロール
２１…支持フレーム
２２…軸受部（軸受板）
２４…スクリューシャフト
【図１】
2007030449.tif 000003
【図２】
2007030449.tif 000004
【図３】
2007030449.tif 000005
【図４】
2007030449.tif 000006
【図５】
2007030449.tif 000007
【図６】
2007030449.tif 000008